(57)【特許請求の範囲】
【請求項１】
１つのチャンネルで時分割によって放送される解像度の異なる複数の映像データを含む番組データと、前記番組データの番組に関する情報であって、前記複数の映像データ各々による映像の解像度を示す情報を含む構成データと、を含む放送波を受信する受信部と、
前記受信部によって受信した前記複数の映像データのうちの一つによる映像の解像度を示す情報と、表示装置が表示可能な映像の解像度を示す情報と、に基づいて、前記複数の映像データのうちの一つの解像度が前記表示装置で表示可能な解像度であるか否かを判別する解像度判別部と、
前記解像度判別部によって前記映像データの解像度が前記表示装置で表示できないと判別された場合に、前記映像データの解像度が前記表示装置で表示できないことを示す情報を報知する報知情報生成部と、
を備え、
前記解像度判別部は、前記報知情報生成部が、前記映像データの解像度が前記表示装置で表示できないことを示す情報を報知した後に、前記複数の映像データのうちの他の一つの解像度が前記表示装置で表示可能な解像度であるか否かを判別する、受信装置。
【請求項２】
前記解像度判別部は、
前記構成データに含まれる現在放送されている放送番組の解像度を抽出し、抽出した前記現在放送されている放送番組の解像度が、前記表示装置が表示可能な映像の解像度より高い場合に、現在放送されている前記番組データに含まれる映像データの解像度が前記表示装置で表示可能ではないと判別し、
前記報知情報生成部は、
前記解像度判別部が判別した結果に基づいて、現在放送されている放送番組が前記表示装置で表示できないことを示す情報を報知する請求項１に記載の受信装置。
【請求項３】
前記放送波を送信する送信装置とは異なる他装置と通信して前記番組データと前記構成データとを受け取る通信部と、
前記解像度判別部が出力する前記表示装置で表示可能な当該番組データを放送している、前記送信装置である送信元、または前記他装置である配信元を示す情報に応じて、前記送信元または前記配信元から前記番組データと前記構成データとを受信または受け取るように制御する受信データ選択部、をさらに備え、
前記解像度判別部は、
前記報知情報生成部によって現在放送されている放送番組を前記表示装置で表示できないことを示す情報が報知された後、前記構成データと前記表示装置が表示可能な映像の解像度を示す情報と、に基づいて、前記表示装置で表示可能な映像データを含む同じ番組が、前記受信部によって受信することができる他の放送波または前記通信部によって受け取れる前記番組データにあるか否かを判別し、前記表示装置で表示可能な映像データを含む同じ番組が前記他の放送波または前記通信部によって受け取れる前記番組データにある場合に、前記表示装置で表示可能な当該番組データを放送している前記送信元または前記配信元を示す情報を前記受信データ選択部に出力する請求項１または請求項２に記載の受信装置。
【請求項４】
前記解像度判別部は、
前記表示装置で表示可能な当該番組データを放送している前記送信元または前記配信元がない場合に、前記番組データに含まれる前記映像データの解像度が前記表示装置で表示できる番組データがないことを示す情報を前記報知情報生成部に出力し、
前記報知情報生成部は、
前記解像度判別部が出力する前記映像データの解像度が前記表示装置で表示可能な番組データがないことを示す情報に応じて、前記表示装置で表示できる放送番組の番組データがないことを示す情報を報知する請求項３に記載の受信装置。
【請求項５】
前記受信データ選択部は、
前記表示装置で表示可能な当該番組データを放送している前記送信元または前記配信元が複数ある場合に、所定の優先順位に基づいて、前記送信元または前記配信元を選択し、選択した前記送信元または前記配信元を示す情報に応じて、前記送信元または前記配信元から前記番組データと前記構成データとを受信または受け取るように制御する請求項３または請求項４に記載の受信装置。
【請求項６】
前記解像度判別部は、
前記構成データに含まれる同じチャンネルで放送される次に放送される放送番組の解像度を抽出し、抽出した前記次に放送される放送番組の解像度が、前記表示装置が表示可能な映像の解像度より高い場合に、次に放送される前記番組データに含まれる映像データの解像度が前記表示装置で表示可能ではないと判別し、
前記報知情報生成部は、
前記解像度判別部が判別した結果に基づいて、前記次に放送される放送番組が前記表示装置で表示できないことを示す情報を報知する請求項１から請求項５のいずれか１項に記載の受信装置。
【請求項７】
前記解像度判別部は、
前記報知情報生成部によって同じチャンネルで放送される次の放送番組を前記表示装置で表示できないことを示す情報が報知された後、前記構成データと前記表示装置が表示可能な映像の解像度を示す情報と、に基づいて、前記表示装置で表示可能な映像データを含む同じ番組が前記他の放送波または前記通信部によって受け取れる前記番組データにあるか否かを判別し、前記表示装置で表示可能な映像データを含む同じ番組が前記他の放送波または前記通信部によって受け取れる前記番組データにある場合に、前記表示装置で表示可能な当該番組データを放送している前記送信元または前記配信元を示す情報を前記受信データ選択部に出力し、
前記受信データ選択部は、
前記次の放送番組の放送が始まる前に、前記解像度判別部が出力する前記表示装置で表示可能な当該番組データを放送している前記送信元または前記配信元を示す情報に応じて、前記送信元または前記配信元から前記番組データと前記構成データとを受信または受け取るように制御する請求項３または請求項４に記載の受信装置。
【請求項８】
前記表示装置が表示可能な映像の解像度を示す情報を前記表示装置から取得する解像度取得部、をさらに備え、
前記解像度判別部は、
前記受信部によって受信した前記番組データに含まれる前記構成データと、前記解像度取得部によって取得された前記表示装置が表示可能な映像の解像度を示す情報と、に基づいて、前記番組データに含まれる映像データの解像度が前記表示装置で表示可能か否かを判別する請求項１から請求項７のいずれか１項に記載の受信装置。
【請求項９】
前記表示装置が表示可能な映像の解像度を示す情報を前記表示装置から取得する解像度取得部、をさらに備え、
前記解像度判別部は、
前記受信部によって受信又は前記通信部によって受け取った前記番組データに含まれる前記構成データと、前記解像度取得部によって取得された前記表示装置が表示可能な映像の解像度を示す情報と、に基づいて、前記番組データに含まれる映像データの解像度が前記表示装置で表示可能か否かを判別する請求項３、または請求項３を引用する請求項４から請求項７のいずれか１項に記載の受信装置。
【請求項１０】
前記構成データには選択レベルの情報が含まれており、
前記解像度判別部は、前記複数の映像データのうち、選択レベルがデフォルト値のものについて最初に表示可能か判定する請求項１から請求項９のいずれか１項に記載の受信装置。
【請求項１１】
受信部が、１つのチャンネルで時分割によって放送される解像度の異なる複数の映像データを含む番組データと、前記番組データの番組に関する情報であって、前記複数の映像データ各々による映像の解像度を示す情報を含む構成データと、を含む放送波を受信する受信手順と、
解像度判別部が、前記受信手順によって受信した前記複数の映像データのうちの一つによる映像の解像度を示す情報と、表示装置が表示可能な映像の解像度を示す情報と、に基づいて、前記複数の映像データのうちの一つの解像度が前記表示装置で表示可能な解像度であるか否かを判別する第１の解像度判別手順と、
報知情報生成部が、前記第１の解像度判別手順によって前記映像データの解像度が前記表示装置で表示できないと判別された場合に、前記映像データの解像度が前記表示装置で表示できないことを示す情報を報知する報知情報生成手順と、
前記報知情報生成手順により前記映像データの解像度が前記表示装置で表示できないことを示す情報を報知した後に、前記解像度判別部が、前記複数の映像データのうちの他の一つの解像度が前記表示装置で表示可能な解像度であるか否かを判別する第２の解像度判別手順と、
を含む、受信方法。
【請求項１２】
１つのチャンネルで時分割によって放送される解像度の異なる複数の映像データを含む番組データと、前記番組データの番組に関する情報であって、前記複数の映像データ各々による映像の解像度を示す情報を含む構成データと、を含む放送波を受信する受信手順と、
前記受信手順によって受信した前記複数の映像データのうちの一つによる映像の解像度を示す情報と、表示装置が表示可能な映像の解像度を示す情報と、に基づいて、前記複数の映像データのうちの一つの解像度が前記表示装置で表示可能な解像度であるか否かを判別する第１の解像度判別手順と、
前記第１の解像度判別手順によって前記映像データの解像度が前記表示装置で表示できないと判別された場合に、前記映像データの解像度が前記表示装置で表示できないことを示す情報を報知する報知情報生成手順と、
前記報知情報生成手順により前記映像データの解像度が前記表示装置で表示できないことを示す情報を報知した後に、前記複数の映像データのうちの他の一つの解像度が前記表示装置で表示可能な解像度であるか否かを判別する第２の解像度判別手順と、
をコンピュータに実行させるためのプログラム。
【発明の詳細な説明】
【技術分野】
【０００１】
本発明は、受信装置、受信方法、及びプログラムに関する。
【背景技術】
【０００２】
次世代テレビジョン放送サービスとして、４Ｋ超高解像度テレビジョン放送（ＵＨＤＴＶ：Ｕｌｔｒａ  Ｈｉｇｈ  Ｄｅｆｉｎｉｔｉｏｎ  Ｔｅｌｅｖｉｓｉｏｎ、以下、４Ｋ放送という）に試験放送が開始されている。さらに、８Ｋ超高解像度テレビジョン放送（以下、８Ｋ放送という）に関する研究開発が進められている。
【０００３】
また、受信品質に応じて固定向け放送と移動体向け放送とを選択する受信機が提案されている（例えば、特許文献１参照）。特許文献１に記載の技術では、１２セグメント放送を選択再生している状態で、その受信品質が第１のしきい値未満に低下した場合に、１セグメント放送の受信品質が第２のしきい値以上を維持し、かつサイマル放送が行われていることを条件に、１セグメント放送への切り替えが可能である旨のメッセージを表示する。そして、特許文献１に記載の技術では、一定時間内に視聴者が切り替え操作を行うと、１２セグメント放送から１セグメント放送へ切り替える。
【先行技術文献】
【特許文献】
【０００４】
【特許文献１】特開２００７−９６５０８号公報
【発明の概要】
【発明が解決しようとする課題】
【０００５】
しかしながら特許文献１に記載の技術では、受信した映像データの解像度が受信装置に接続される表示装置の解像度より高い場合、受信した映像データを表示装置に表示することができないという課題があった。
【０００６】
本発明は上記の点に鑑みてなされたものであり、受信した映像データの解像度が受信装置に接続される表示装置の解像度より高い場合であっても、超高解像度テレビジョン放送を利用しやすくすることができる受信装置、受信方法、及びプログラムを提供することを目的とする。
【課題を解決するための手段】
【０００７】
（１）本発明は上記の課題を解決するためになされたものであり、本発明の一態様の受信装置は、番組データと、番組に関する情報を含む構成データと、を含む放送波を受信する受信部と、前記受信部によって受信した前記番組データに含まれる前記構成データと、映像の解像度を示す情報と、に基づいて、前記番組データに含まれる映像データの解像度が表示装置で表示可能な解像度であるか否かを判別する解像度判別部と、前記解像度判別部によって前記映像データの解像度が前記表示装置で表示できないと判別された場合に、前記映像データの解像度が前記表示装置で表示できないことを示す情報を報知する報知情報生成部と、を備える。
【０００８】
（２）また、本発明の一態様の受信装置における受信方法は、受信部が、番組データと、番組に関する情報を含む構成データと、を含む放送波を受信する受信手順と、解像度判別部が、前記受信手順によって受信した前記番組データに含まれる前記構成データと、映像の解像度を示す情報と、に基づいて、前記番組データに含まれる映像データの解像度が表示装置で表示可能な解像度であるか否かを判別する解像度判別手順と、報知情報生成部が、前記解像度判別手順によって前記映像データの解像度が前記表示装置で表示できないと判別された場合に、前記映像データの解像度が前記表示装置で表示できないことを示す情報を報知する報知情報生成手順と、を含む。
【０００９】
（３）また、本発明の一態様は、番組データと、番組に関する情報を含む構成データと、を含む放送波を受信する受信手順と、前記受信手順によって受信した前記番組データに含まれる前記構成データと、映像の解像度を示す情報と、に基づいて、前記番組データに含まれる映像データの解像度が表示装置で表示可能な解像度であるか否かを判別する解像度判別手順と、前記解像度判別手順によって前記映像データの解像度が前記表示装置で表示できないと判別された場合に、前記映像データの解像度が前記表示装置で表示できないことを示す情報を報知する報知情報生成手順と、をコンピュータに実行させるためのプログラム。
【発明の効果】
【００１０】
本発明によれば、受信した映像データの解像度が受信装置に接続される表示装置の解像度より高い場合であっても、超高解像度テレビジョン放送を利用しやすくすることができる。
【図面の簡単な説明】
【００１１】
【図１】第１実施形態に係る放送システムの構成を示すブロック図である。
【図２】第１実施形態に係る送信装置の構成を示すブロック図である。
【図３】放送システムに用いるプロトコルスタックの構造の例について説明する図である。
【図４】通信回線におけるプロトコルスタックの構造の例について説明する図である。
【図５】ＭＰＴの例を示す図である。
【図６】アセットグループ記述子のデータ構造の例を示す図である。
【図７】ＭＨ−映像コンポーネント記述子の例を示す図である。
【図８】映像信号解像度に記述される情報の例を示す図である。
【図９】第１実施形態に係る受信装置の構成を示すブロック図である。
【図１０】第１実施形態に係る表示装置上に表示される報知情報の画像の例を示す図である。
【図１１】第１実施形態に係る表示装置で表示できるサイマル放送がない場合に表示装置上に表示される報知情報の画像の例を示す図である。
【図１２】第１実施形態に係る報知処理及び受信処理の手順を示すフローチャートである。
【図１３】ＭＨ−イベント情報テーブルのデータ構造の例を示す図である。
【図１４】第２実施形態に係る受信装置の構成を示すブロック図である。
【図１５】第２実施形態に係る報知処理及び受信処理の手順を示すフローチャートである。
【図１６】第３実施形態に係る受信装置の構成を示すブロック図である。
【図１７】第３実施形態に係る表示装置上に表示される報知情報の画像の例を示す図である。
【図１８】第３実施形態に係る報知処理及び受信処理の手順を示すフローチャートである。
【発明を実施するための形態】
【００１２】
＜４Ｋ、８Ｋ超高解像度テレビジョン放送のロードマップの説明＞
２０１４年９月９に総務省が発表したロードマップ（参考文献１参照）では、日本において２０１５年に４Ｋ超高解像度テレビジョン放送（ＵＨＤＴＶ：Ｕｌｔｒａ  Ｈｉｇｈ  Ｄｅｆｉｎｉｔｉｏｎ  Ｔｅｌｅｖｉｓｉｏｎ）の実用放送開始し、２０１８年に８Ｋ超高解像度テレビジョン放送の実用放送開始としている。なお、以下の説明では、４Ｋ、８Ｋ超高解像度テレビジョン放送を、単に４Ｋ放送、８Ｋ放送という。また、このロードマップでは、４Ｋ、８Ｋ放送は、衛星による放送、ケーブルテレビ放送網による放送、ＩＰＴＶ等による配信が予定されている。また、このロードマップによれば、２０１６年から８Ｋ放送の実験放送を開始し、衛星による放送は、４Ｋ放送と８Ｋ放送とを時分割で放送することが提案されている。
【００１３】
なお、日本で実用放送が予定されている４Ｋ放送とは、空間解像度が３８４０×２１６０の放送である。また、８Ｋ放送とは、空間解像度が７６８０×４３２０の放送である。また、現在放送されている放送を２Ｋ放送といい、２Ｋ放送の空間解像度は、１９２０×１０８０である。
また、日本で実用放送が予定されている４Ｋ、８Ｋ放送の多重化方式は、ＭＭＴ（ＭＰＥＧ  Ｍｅｄｉａ  Ｔｒａｎｓｐｏｒｔ、国際標準１参照）と、ＴＬＶ（Ｔｙｐｅ  Ｌｅｎｇｔｈ  Ｖａｌｕｅ、国際標準２参照）ＩＰベースの多重化方式が提案されている。
【００１４】
（参考文献１）「4K・8Kロードマップに関するフォローアップ会合 中間報告  概要」、［ｏｎｌｉｎｅ］、総務省、［平成２６年１１月２２日検索］、＜URL:http://www.soumu.go.jp/main_content/000312824.pdf＞
（国際標準１）MPEG-H MMT (ISO/IEC 23008-1:2014)
（国際標準２）ITU-R勧告BT.1869 (2010)
【００１５】
＜第１実施形態＞
本発明の第１実施形態について、図面を参照しながら説明する。
図１は、本実施形態に係る放送システム１の構成を示すブロック図である。
図１に示すように、放送システム１は、送信装置２０、サーバ装置３０、放送衛星４１、電波塔４２、ネットワーク４３、受信装置１０、及び表示装置１５を含んで構成される。送信装置２０は、放送事業者が有する放送設備を構成する。
なお、受信装置１０と表示装置１５とは、例えば表示装置１５が受信装置１０を備える一体型の装置であってもよい。
【００１６】
送信装置２０は、放送事業者が有する放送設備を構成する。送信装置２０は、放送衛星４１及び電波塔４２に多重化データを送信、及びサーバ装置３０に多重化データを格納する。送信装置２０は、例えば多重化データを放送する前に、予めサーバ装置３０に、当該多重化データを格納する。なお、多重化データには、放送される番組の映像データ、音声データ、付加データが含まれている。ここで、映像データは、２Ｋ放送の映像データ、４Ｋ放送の映像データ、８Ｋ放送の映像データのうち、少なくとも１つである。例えば、送信装置２０は、放送衛星４１を介して８Ｋ放送の多重化データを放送し、電波塔４２を介して２Ｋ放送の多重化データを放送し、サーバ装置３０とネットワーク４３を介して４Ｋ放送の多重化データを配信する。すなわち、送信装置２０は、１つの放送番組について、異なる空間解像度の多重化データを、放送衛星４１、電波塔４２、及びサーバ装置３０とネットワーク４３によってサイマル放送することができる。
【００１７】
放送衛星４１は、地上の送信装置２０から送信された多重化データを受信し、受信した多重化データを変調する。放送衛星４１は、変調した多重化データの電波を地上に向けて送信する。なお、放送衛星４１は、人工衛星による放送衛星（ＢＳ）、及び通信衛星（ＣＳ）のうち、少なくとも１つの衛星である。
電波塔４２は、送信装置２０から送信された多重化データを受信し、受信した多重化データを変調する。電波塔４２は、変調した多重化データの電波を送信する。電波塔４２は、例えば地上デジタル放送の方式で用いられているＵＨＦ帯の周波数で変調して送信する。
【００１８】
サーバ装置３０は、送信装置２０から配信された多重化データを格納し、格納した多重化データを、ネットワーク４３を介して受信装置１０に配信する（配信サービス）。送信装置２０とサーバ装置３０とは、例えばケーブル２５を介して接続されている。なお、送信装置２０とサーバ装置３０とは、ネットワークを介して接続されていてもよい。配信サービスは、例えば、ＶＯＤ（ビデオ・オン・デマンド）サービス、ＩＰマルチキャストサービス、ダウンロードサービス、及びＩＰ再送信サービスのうちのいずれかである。
以下、放送衛星４１または電波塔４２からの放送を、放送網を用いた放送とも言う。また、ネットワーク４３からの放送を、通信網を用いた放送とも言う。
【００１９】
受信装置１０及び表示装置１５は、各家庭や事業所等に設置される。受信装置１０は、例えば、チューナ、チューナを有するレコーダ等である。受信装置１０は、送信装置２０から放送される多重化データを受信し、受信した多重化データを、復調処理、分離処理、復号処理等を行って、映像データ、音声データ、及び構成データに分離及び復号を行う。受信装置１０は、分離及び復号が行われた映像データ及び構成データに基づく画像情報を、表示装置１５に出力する。なお、表示装置１５が音声出力装置を有している場合、受信装置１０は、分離及び復号が行われた音声データも表示装置１５に出力する。受信装置１０は、受信した付加データに基づいて、受信した番組データに含まれる映像データの空間解像度を判別する。そして、受信装置１０は、映像データが表示できない空間解像度の場合、受信装置１０で表示できないことを報知する報知情報を生成する。続けて、受信装置１０は、生成した報知情報を映像データに合成して、合成後の映像データ及び構成データを表示装置１５に出力する。そして、受信装置１０は、付加データに含まれる情報に基づいて、表示可能な多重化データが他の放送サービスで放送または配信されているか否かを判別する。受信装置１０は、表示可能な多重化データが他の放送サービスで放送または配信されている場合、表示可能な多重化データを受信し、受信した多重化データに含まれる映像データ及び構成データを表示装置１５に出力する。
【００２０】
表示装置１５は、受信装置１０に表示装置１５が表示可能な画像の解像度を示す表示可能解像度情報を出力する。ここで、表示可能解像度情報には、空間解像度、映像信号の垂直方向の解像度、放送の種類を示す情報のうち、少なくとも１つの情報が含まれる。放送の種類を示す情報とは、２Ｋ放送、４Ｋ放送、及び８Ｋ放送のうち、少なくとも１つの情報である。
また、表示装置１５は、受信装置１０が出力する表示映像データに基づく画像を表示する。受信装置１０と表示装置１５とは、例えば、ＨＤＭＩ（登録商標）（Ｈｉｇｈ-Ｄｅｆｉｎｉｔｉｏｎ  Ｍｕｌｔｉｍｅｄｉａ  Ｉｎｔｅｒｆａｃｅ；高精細度マルチメディアインターフェース）ケーブルによって有線で接続されている。なお、表示装置１５が音声出力装置を有している場合、表示装置１５は、受信装置１０が出力した音声データに基づく音声を再生する。
【００２１】
（送信装置の構成）
次に、本実施形態に係る送信装置２０の構成について説明する。
図２は、本実施形態に係る送信装置２０の構成を示すブロック図である。送信装置２０は、番組データ生成部２１１、構成情報生成部２１２、多重化部２１３、暗号化部２１４、ＲＦ送信部２１５、及びＩＰ通信部２１６を含んで構成される。
【００２２】
番組データ生成部２１１は、放送番組を構成する映像を示す映像データと音声を示す音声データを取得する。番組データ生成部２１１は、所定の映像符号化方式で符号化された映像データを取得する。所定の映像符号化方式は、例えば、ＩＳＯ／ＩＥＣ  ２３００８  ＨＥＶＣ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ／Ｉｎｔｅｒｎａｔｉｏｎａｌ  Ｅｌｅｃｔｒｏｎｉｃａｌ  Ｃｏｍｍｉｓｓｉｏｎ  ２３００８  Ｐａｒｔ２  Ｈｉｇｈ  Ｅｆｆｉｃｉｅｎｃｙ  Ｖｉｄｅｏ  Ｃｏｄｉｎｇ、単に、ＨＥＶＣとも呼ばれる）で規格化された方式である。番組データ生成部２１１は、所定の音声符号化方式で符号化された音声データを取得する。所定の音声符号化方式は、例えば、ＩＳＯ／ＩＥＣ  １４４９６  Ｐａｒｔ３（単に、ＭＰＥＧ−４オーディオとも呼ばれる）で規定された音声符号化方式である。番組データ生成部２１１は、取得した映像データと音声データから所定の形式の番組データを生成し、生成した番組データを多重化部２１３に出力する。所定の形式の番組データは、例えば、ＩＳＯ／ＩＥＣ  ２３００８  Ｐａｒｔ１  ＭＭＴ（ＭＰＥＧ  Ｍｅｄｉａ  Ｔｒａｎｓｐｏｒｔ、単にＭＭＴとも呼ばれる）で規定されたＭＰＵ（Ｍｅｄｉａ  Ｐｒｏｃｅｓｓｉｎｇ  Ｕｎｉｔ）である。各ＭＰＵには、映像や音声の復号処理を行うことができる単位の映像データ又は音声データが含まれる。
【００２３】
構成情報生成部２１２には、放送番組や放送に伴って提供されるサービスを構成するための情報である構成要素情報を取得する。構成要素情報は、放送番組やサービスの構成要素であるアセット、つまり、映像、音声等のリストや、それらの諸要件を示す情報、例えば、番組の空間解像度を示す情報、他の放送サービスで同じ番組を放送していること示す情報、他の放送サービスで放送されている番組の空間解像度を示す情報を含む。構成情報生成部２１２は、取得した構成要素情報から所定の形式の構成データを生成し、生成した構成データを多重化部２１３に出力する。所定の形式の構成データは、例えば、ＭＭＴ−ＳＩ（ＭＭＴ−Ｓｙｓｔｅｍ  Ｉｎｆｏｒｍａｔｉｏｎ）を構成するＭＰＴ（ＭＭＴ  Ｐａｃｋａｇｅ  Ｔａｂｌｅ）である。ＭＰＴの例については後述する。
【００２４】
多重化部２１３は、番組データ生成部２１１が出力する番組データ、及び構成情報生成部２１２が出力する構成データを多重化して、所定の形の多重化データを生成する。所定の形式とは、例えば、ＴＬＶ（Ｔｙｐｅ  Ｌｅｎｇｔｈ  Ｖａｌｕｅ）パケットである。多重化部２１３は、生成した多重化データを暗号化部２１４に出力する。
【００２５】
暗号化部２１４は、多重化部２１３が出力する多重化データを所定の暗号化方式を用いて暗号化する。所定の暗号化方式とは、例えば、ＡＥＳ（Ａｄｖａｎｃｅｄ  Ｅｎｃｒｙｐｔｉｏｎ  Ｓｔａｎｄａｒｄ）である。暗号化部２１４は、暗号化した多重化データをＲＦ送信部２１５及びＩＰ通信部２１６に出力する。
【００２６】
ＲＦ送信部２１５は、暗号化部２１４が出力する多重化データを、放送衛星４１及び電波塔４２に送信する。ＲＦ送信部２１５は、ベースバンド信号である多重化データで所定の搬送周波数を有する搬送波を変調させて、搬送周波数に対応したチャネル帯域の電波（放送波）をアンテナ（図示せず）により放射する。
【００２７】
ＩＰ通信部２１６は、暗号化部２１４が出力する多重化データを、ケーブル２５を介してサーバ装置３０に出力することで、多重化データをサーバ装置３０に格納する。
【００２８】
（ＭＭＴを用いるシステムのプロトコルスタックの構造）
次に、ＭＭＴを用いるシステムのプロトコルスタックの構造の例について説明する。プロトコルスタックには、放送システムに用いるプロトコルスタックと、通信回線におけるプロトコルスタックがある。
まず、放送システムに用いるプロトコルスタックの構造の概略について説明する。
図３は、放送システムに用いるプロトコルスタックの構造の例について説明する図である。図３に示すように、放送システムに用いるプロトコルスタックは、ＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）、時刻情報、符号化された映像データ、符号化された音声データ、符号化された字幕データ、ＭＭＴ−ＳＩ、ＨＴＭＬ５規格で記述されたアプリケーション（単にアプリともいう）、コンテンツダウンロードデータ等を含んで構成される。放送番組の映像信号及び音声信号の符号はＭＦＵ（Ｍｅｄｉａ  Ｆｒａｇｍｅｎｔ  Ｕｎｉｔ）／ＭＰＵである。そして、ＭＦＵ／ＭＰＵは、ＭＭＴＰペイロードに乗せて送信装置２０によってＭＭＴＰパケット化され、ＩＰパケットで送信装置２０によって伝送される。データコンテンツの伝送は、データが送信装置２０によってＭＭＴＰパケット化され、ＩＰパケットで送信装置２０によって伝送される。このように構成されたＩＰパケットは、放送伝送路を用いて放送される場合、ＴＬＶパケットの形式で送信装置２０によって伝送される。一つのＩＰパケットあるいは一つのヘッダー圧縮したＩＰパケットは、一つのＴＬＶパケットで送信装置２０によって伝送する（ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ（一般社団法人  電波産業会））  ＳＴＤ−Ｂ３２及びＳＴＤ−Ｂ−６０参照）。
【００２９】
さらに、放送システムに用いるプロトコルスタックでは、ＭＭＴ−ＳＩ、ＴＬＶ−ＳＩの２種類の制御情報が設けられている。ＭＭＴ−ＳＩとは、放送番組の構成などを示す制御情報である。ＭＭＴ−ＳＩでは、ＭＭＴの制御メッセージの形式とし、送信装置２０によってＭＭＴＰペイロードに乗せられてＭＭＴＰパケット化され、送信装置２０によってＩＰパケットで伝送される。ＴＬＶ−ＳＩとは、ＩＰパケットの多重に関する制御情報であり、選局のための情報やＩＰアドレスとサービスの対応情報を提供する。
【００３０】
図３は、放送システムに用いられるプロトコルスタックの構造の例を示す。図３において、ＴＭＣＣとは、伝送路上の信号の単位（スロット）ごとに変調方式やエラー訂正方式を指定する階層変調方式において、伝送フレームに挿入して伝送するこれらの制御情報である。ＨＥＶＣ（Ｈｉｇｈ  Ｅｆｆｉｃｉｅｎｃｙ  Ｖｉｄｅｏ  Ｃｏｄｉｎｇ）とは、映像信号の符号化の手法である。ＡＡＣ（Ａｄｖａｎｃｅｄ  Ａｕｄｉｏ  Ｃｏｄｉｎｇ）及びＡＬＳ（Ａｕｄｉｏ  Ｌｏｓｓｌｅｓｓ  Ｃｏｄｉｎｇ）とは、音声信号の符号化の手法である。ＵＤＰ／ＩＰ（Ｕｓｅｒ  Ｄａｔａｇｒａｍ  Ｐｒｏｔｏｃｏｌ／Ｉｎｔｅｒｎｅｔ  Ｐｒｏｔｏｃｏｌ）とは、通信に使われるプロトコルの１つである。ＴＬＶ（ＴＹＰＥ  ＬＥＮＧＴＨ  ＶＡＬＵＥ）とは、データの多重化手法の１つであり、データの符号化をデータタイプ（Ｔｙｐｅ）、長さ（Ｌｅｎｇｔｈ）、値（Ｖａｌｕｅ）の３つで構成する。
【００３１】
次に、通信回線におけるプロトコルスタックの構造について少し詳しく説明する。
図４は、通信回線におけるプロトコルスタックの構造の例について説明する図である。図４に示すように、通信回線におけるプロトコルスタックは、時刻情報、符号化された映像データ、符号化された音声データ、符号化された字幕データ、ＭＭＴ−ＳＩ、ＨＴＭＬ５規格で記述されたアプリケーション（単にアプリともいう）、コンテンツダウンロードデータ等を含んで構成される。通信回線では、ユニキャスト・マルチキャストの配信形態に応じてＩＰパケットのまま送信装置２０によって伝送される。
図４において、ＨＴＴＰ（Ｈｙｐｅｒｔｅｘｔ  Ｔｒａｎｓｆｅｒ  Ｐｒｏｔｏｃｏｌ）とは、通信プロトコルの１つである。
【００３２】
（ＭＰＴのデータ構造）
次に、構成データに含まれるアセットのリストやアセットのネットワーク上の位置などパッケージを構成する情報を与えるＭＰＴ（ＭＭＴ  Ｐａｃｋａｇｅ  Ｔａｂｌｅ）の例について説明する。
図５は、ＭＰＴの例を示す図である。図５に示す例では、ＭＰＴは、ＭＰＴ記述子領域（ＭＰＴ＿ｄｅｓｃｒｉｐｔｏｒｓ＿ｂｙｔｅ）とアセット毎にアセットタイプ（ａｓｓｅｔ＿ｔｙｐｅ）を含む。ＭＰＴ記述子領域（ＭＰＴ＿ｄｅｓｃｒｉｐｔｏｒｓ＿ｂｙｔｅ）は、ＭＰＴの記述子が記述される領域である。
構成情報生成部２１２（図２）は、ＭＨ−映像コンポーネント記述子（ＭＨ−Ｖｉｄｅｏ＿Ｃｏｍｐｏｎｅｎｔ＿Ｄｅｓｃｒｉｐｔｏｒ（））を生成する。ＭＨ−映像コンポーネント記述子は、番組を構成する映像データに関するパラメータが記述される記述子である。
【００３３】
（アセットグループ記述子のデータ構造）
次に、アセットグループ記述子（Ａｓｓｅｔ＿Ｇｒｏｕｐ＿Ｄｅｓｃｒｉｐｔｏｒ（））の例について説明する。図６は、アセットグループ記述子のデータ構造の例を示す図である。図６に示すように、アセットグループ記述子には、記述子タグ（ｄｅｓｃｒｉｐｔｏｒ＿ｔａｇ）、記述子長（ｄｅｓｃｒｉｐｔｏｒ＿ｌｅｎｇｔｈ）、グループＩＤ（ｇｒｏｕｐ＿ｉｄｅｎｔｉｆｉｃａｔｉｏｎ）、選択レベル（ｓｅｌｅｃｔｉｏｎ＿ｌｅｖｅｌ）を含んでいる。
なお、アセットグループ記述子には、アセットのグループ関係とグループ内での優先度を提供する情報が記述されている。
【００３４】
図６において、記述子タグには、各記述子を識別するための情報が記述される。記述子長には、このフィールドより後に続くデータバイト数が記述される。グループＩＤには、：例えば映像や音声などのアセットをグループ化したＩＤが記述される。選択レベルには、グループ内での選択レベルを示す値が記述される。なお、選択レベルの値は、０がデフォルトである。このため、選択レベルは、デフォルトのアセットを選択できない場合に、グループ内で数字が小さいアセットから順に優先していく候補であることを示している。
【００３５】
（ＭＨ−映像コンポーネント記述子のデータ構造）
次に、映像コンポーネントに関するパラメータ、説明を示し、エレメンタリストリームを文字形式で表現するためにも利用されＭＨ−映像コンポーネント記述子（ＭＨ−ｖｉｄｅｏ＿Ｃｏｍｐｏｎｅｎｔ＿Ｄｅｓｃｒｉｐｔｏｒ（））の例について説明する。
図７は、ＭＨ−映像コンポーネント記述子の例を示す図である。図７に示す例では、ＭＨ−映像コンポーネント記述子は、記述子タグ（ｄｅｓｃｒｉｐｔｏｒ＿ｔａｇ）、記述子長（ｄｅｓｃｒｉｐｔｏｒ＿ｌｅｎｇｔｈ）、映像信号解像度（ｖｉｄｅｏ＿ｒｅｓｏｌｕｔｉｏｎ）、映像信号アスペクト比（ｖｉｄｅｏ＿ａｓｐｅｃｔ＿ｒａｔｉｏ）、映像スキャンフラグ（ｖｉｄｅｏ＿ｓｃａｎ＿ｆｌａｇ）、映像信号フレームレート（ｖｉｄｅｏ＿ｆｒａｍｅ＿ｒａｔｅ）、コンポーネントタグ（ｃｏｍｐｏｎｅｎｔ＿ｔａｇ）、言語コード（ＩＳＯ＿６３９＿ｌａｎｇｕａｇｅ＿ｃｏｄｅ）を含む。
【００３６】
図７において、記述子タグには、各記述子を識別するための情報が記述される。記述子長には、このフィールドより後に続くデータバイト数が記述される。映像信号解像度（ｖｉｄｅｏ＿ｒｅｓｏｌｕｔｉｏｎ）は、映像信号の垂直方向の解像度が記述され、図８に従って符号化される。
【００３７】
図８は、映像信号解像度に記述される情報の例を示す図である。図８に示す例において、映像信号解像度が５の場合が、２Ｋ放送の空間解像度を表し、映像信号解像度が６の場合が、４Ｋ放送の空間解像度を表し、映像信号解像度が７の場合が、８Ｋ放送の空間解像度を表す。
図７に戻って、映像信号アスペクト比には、映像信号のアスペクト比が記述される。
映像スキャンフラグには、映像信号がインターレース信号であるか、プログレッシブ信号であるかを示すフラグが記述される。映像信号フレームレートには、映像信号のフレームレートが記述される。コンポーネントタグには、コンポーネントストリームを識別するためのラベルが記述される。
言語コードには、コンポーネント（音声、あるいはデータ）の言語及びこの記述子に含まれる文字記述の言語を識別するための情報が記述される。
【００３８】
（受信装置の構成）
次に、受信装置１０の構成について説明する。
図９は、本実施形態に係る受信装置１０の構成を示すブロック図である。受信装置１０は、ＲＦ受信部１０１、ＩＰ通信部１０２、復調・解除部１０３、分離部１０４、制御部１０５、記憶部１０６、音声復号部１０７、拡声部１０８、映像復号部１０９、画像切替部１１０、及び操作入力部１１１を含んで構成される。また、制御部１０５は、解像度取得部１０５１、解像度判別部１０５２、報知情報生成部１０５３、及び受信データ選択部１０５４を含んで構成される。
【００３９】
ＲＦ受信部１０１には、制御部１０５から放送チャンネルに応じた放送チャンネル帯域を示すチャンネル情報が入力される。ＲＦ受信部１０１は、放送衛星４１または電波塔４２が送信した多重化データの電波を受信し、受信した多重化データの電波の中からチャンネル情報に応じた放送チャンネル帯域の電波を選択する。ＲＦ受信部１０１のアンテナ（図示せず）は、選択した放送チャンネル帯域の電波を電気信号に変換する。ＲＦ受信部１０１は、電気信号に変換した多重化データを復調・解除部１０３に出力する。
【００４０】
ＩＰ通信部１０２には、制御部１０５から配信を受ける通信指示情報が入力される。通信指示情報には、ＩＰアドレスが含まれている。ＩＰ通信部１０２は、通信指示情報に応じてネットワーク４３を介してサーバ装置３０が配信した多重化データを受け取り、受け取った多重化データを復調・解除部１０３に出力する。
【００４１】
復調・解除部１０３には、制御部１０５の受信データ選択部１０５４が出力する選択信号が入力される。復調・解除部１０３は、選択信号に応じて、放送衛星４１から受信した電波に基づく多重化データ、電波塔４２から受信した電波に基づく多重化データ、及びＩＰ通信部１０２が受け取った多重化データのうち１つを選択する。復調・解除部１０３は、選択した多重化データが変調されている場合、変調されている多重化データを復調する。復調・解除部１０３は、選択した多重化データを、送信装置２０の暗号化部２１４で用いられた方式に対応する暗号化方式（例えば、ＡＥＳ）で暗号を解除し、暗号を解除した多重化データを分離部１０４に出力する。
【００４２】
分離部１０４は、復調・解除部１０３が出力した多重化データから番組データ及び構成情報に分離する。分離部１０４は、構成情報を制御部１０５に出力する。また、分離部１０４は、番組データから音声データと映像データを抽出する。分離部１０４は、抽出した音声データを音声復号部１０７に出力し、映像データを映像復号部１０９に出力する。
【００４３】
制御部１０５は、受信装置１０の種々の動作を制御する。制御部１０５には、操作入力部１１１が出力する操作結果を示す情報、分離部１０４が出力する構成データ、及び表示装置１５が出力する表示可能解像度情報が入力される。制御部１０５は、操作結果を示す情報と構成データとに基づいて選択信号を生成し、生成した選択信号をＲＦ受信部１０１及びＩＰ通信部１０２に出力する。
【００４４】
解像度取得部１０５１は、表示装置１５が出力する表示可能解像度情報を取得し、取得した表示可能解像度情報を解像度判別部１０５２に出力する。
解像度判別部１０５２は、構成データに含まれるＭＰＴのアセットグループ記述子領域からアセットグループ記述子を抽出する。解像度判別部１０５２は、抽出したアセットグループ記述子から同じグループＩＤのアセットグループ記述子を抽出する。解像度判別部１０５２は、アセットグループ記述子の選択レベルが０のアセットグループ記述子を選択する。解像度判別部１０５２は、選択した選択レベル０に対応するＭＨ−映像コンポーネント記述子をＭＴＰのＭＰＴ記述子領域から抽出する。解像度判別部１０５２は、抽出したＭＨ−映像コンポーネント記述子の映像信号解像度に基づいて、現在受信している放送番組の映像データの解像度を検出する。解像度判別部１０５２は、検出した映像データの解像度と、解像度取得部１０５１が出力する表示可能解像度情報とに基づいて、映像データが表示装置１５で表示可能であるか否かを判別する。
選択レベル０の映像データが表示装置１５で表示可能である場合、解像度判別部１０５２は、多重化データの受信または受け取りを継続することを示す情報を受信データ選択部１０５４に出力する。
【００４５】
選択レベル０の映像データが表示装置１５で表示可能ではない場合、解像度判別部１０５２は、映像データの解像度を示す情報、及び映像データが表示装置１５で表示できないことを示す情報を報知情報生成部１０５３に出力する。報知情報生成部１０５３に出力後、解像度判別部１０５２は、映像データが表示装置１５で表示可能ではない場合、アセットグループ記述子の記述から、同じグループＩＤの未確認の他の選択レベルを選択する。解像度判別部１０５２は、選択した選択レベルに対応するＭＨ−映像コンポーネント記述子をＭＴＰのＭＰＴ記述子領域から抽出する。解像度判別部１０５２は、抽出したＭＨ−映像コンポーネント記述子の映像信号解像度に基づいて、選択した選択レベルの放送番組の映像データの解像度を検出する。解像度判別部１０５２は、検出した映像データの解像度と、解像度取得部１０５１が出力する表示可能解像度情報とに基づいて、映像データが表示装置１５で表示可能であるか否かを判別する。
解像度判別部１０５２は、同じグループＩＤについてアセットグループ記述子の選択レベルに対応する放送番組の映像データの解像度を順次検出する。
【００４６】
表示装置１５で表示可能な解像度の映像データによるサイマル放送（以下、サイマル映像ともいう、更に高階層映像と低階層映像で構成される放送も含まれる）がある場合、解像度判別部１０５２は、選択したアセットグループ記述子に基づいて、表示装置１５で表示可能な解像度の映像データを含む多重化データが送信されている送信元の放送網と放送チャンネルに応じた放送チャンネル帯域、または配信元の通信網とＩＰアドレス等を抽出する。解像度判別部１０５２は、抽出した送信元の放送網と放送チャンネルに応じた放送チャンネル帯域を示す情報と解像度それぞれを示す情報とを関連付けて、関連付けた情報を送信元を示す情報として報知情報生成部１０５３に出力する。また、解像度判別部１０５２は、抽出した通信網とＩＰアドレス等と解像度それぞれを示す情報とを関連付けて、関連付けた情報を配信元を示す情報として報知情報生成部１０５３に出力する。解像度判別部１０５２は、抽出した結果に基づいて、サイマル放送の送信元を示す情報または配信もとを示す情報を、受信データ選択部１０５４に出力する。
現在受信している受信網及とは異なる受信網及び通信網にサイマル映像がないとアセットグループ記述子に基づいて判別した場合、解像度判別部１０５２は、サイマル映像がないことを示す情報を受信データ選択部１０５４に出力する。
【００４７】
報知情報生成部１０５３は、解像度判別部１０５２が出力する映像データの解像度を示す情報、及び映像データが表示装置１５で表示できないことを示す情報に基づいて、現在受信または受け取っている映像データが表示装置１５で表示できないことを示す報知データを生成する。報知情報生成部１０５３は、生成した報知データを画像切替部１１０に出力する。報知情報は、画像であり、例えば図１０に示す例のように「この表示装置は８Ｋ放送に対応していません」の文字情報を含む画像情報である。図１０は、本実施形態に係る表示装置１５上に表示される報知情報の画像の例を示す図である。図１０に示す例は、表示装置１５が、２Ｋ放送と４Ｋ放送の解像度の映像データを表示でき、８Ｋ放送を表示できない例である。そして、図１０に示す例は、表示装置１５の表示面Ｄ上に「この表示装置は８Ｋ放送に対応していません」の文字情報を含む画像情報ｇ１０１が表示される例である。
【００４８】
また、報知情報生成部１０５３は、解像度判別部１０５２が出力するサイマル映像がないことを示す情報に基づいて、表示装置１５で表示できるサイマル放送がないことを示す報知データを生成する。報知情報生成部１０５３は、生成した報知データを画像切替部１１０に出力する。報知情報は、画像であり、例えば図１１に示す例のように「この表示装置は８Ｋ放送に対応していません」の文字情報を含む画像情報である。図１１は、本実施形態に係る表示装置１５で表示できるサイマル放送がない場合に表示装置１５上に表示される報知情報の画像の例を示す図である。図１１に示す例においても、図１０と同様に、表示装置１５が、２Ｋ放送と４Ｋ放送の解像度の映像データを表示でき、８Ｋ放送を表示できない例である。そして、図１１に示す例は、表示装置１５の表示面Ｄ上に「この表示装置は８Ｋ放送に対応していません」の文字情報を含む画像情報ｇ１１１が表示されている例である。
【００４９】
なお、本実施形態では、報知情報が文字情報を含む画像情報の例を説明したが、これに限られない。報知情報は、音声情報であってもよい。この場合、報知情報生成部１０５３は、例えば「この表示装置で表示できるサイマル放送がありません」の文字情報を音声信号に変換して、変換した音声信号を拡声部１０８に出力するようにしてもよい。報知情報生成部１０５３は、文字情報または音声信号のうち、少なくとも１つを用いて報知を行うようにしてもよい。
【００５０】
受信データ選択部１０５４は、解像度判別部１０５２が出力するサイマル放送の送信元を示す情報、または配信元を示す情報に基づいて、選択信号を生成する。選択信号は、どの放送網または通信網によって受信また受け取った多重化データを選択する信号である。なお、選択信号が、放送網を選択する信号の場合、制御部１０５は、チャンネル情報を生成し、生成したチャンネル情報をＲＦ受信部１０１に出力する。
なお、受信データ選択部１０５４は、表示装置１５で表示可能なサイマル放送が複数ある場合、検出した解像度のうち、表示装置１５で表示可能な最も解像度の高い選択レベルのアセットグループ記述子を選択し、選択したサイマル放送の送信元を示す情報、または配信元を示す情報に基づいて、選択信号を生成する。
【００５１】
例えば、利用者が操作入力部１１１を操作して選択したチャンネルが放送衛星４１から受信した多重化データであり、その多重化データに含まれる映像データの解像度が８Ｋ放送の場合、制御部１０５は、解像度判別部１０５２によって選択された電波塔４２を介して多重化データを受信する。このとき、制御部１０５は、電波塔４２から受信した電波の中から、サイマル放送を選択するために、サイマル放送を送信しているチャンネルに応じたチャンネル情報をＲＦ受信部１０１に出力する。
【００５２】
記憶部１０６は、各種のデータを記憶する。記憶部１０６は、記憶媒体、例えば、ＨＤＤ（Ｈａｒｄ−ｄｉｓｋ  Ｄｒｉｖｅ）、フラッシュメモリ、ＲＯＭ（Ｒｅａｄ−ｏｎｌｙ  Ｍｅｍｏｒｙ）、ＲＡＭ（Ｒａｎｄｏｍ  Ａｃｃｅｓｓ  Ｍｅｍｏｒｙ）またはそれらの組み合わせを含んで構成される。
【００５３】
音声復号部１０７は、分離部１０４が出力した音声データを、符号化に用いられた符号化方式（例えば、ＭＰＥＧ−４  オーディオ）と対応する復号方式で復号し、元の音声データを生成する。復号した音声データは、各時刻における音声のレベルを示すデータである。音声復号部１０７は、復号した元の音声データを拡声部１０８に出力する。
【００５４】
拡声部１０８は、音声復号部１０７から入力された音声データに基づく音声を再生する。拡声部１０８は、例えば、スピーカを含んで構成される。拡声部１０８は、少なくとも所定のチャンネル数に相当する個数のスピーカを含んで構成される。所定のチャンネル数とは、音声復号部１０７において音声データを処理可能な再生方式で指定されるチャンネル数に相当する。
【００５５】
映像復号部１０９は、分離部１０４が出力する映像データを、符号化に用いられた符号化方式（例えば、ＨＥＶＣ）と対応する復号方式で入力された映像データを復号し、元の映像データを生成する。復号した映像データは、各時刻における映像（フレーム画像）を形成する信号値を示すデータである。映像復号部１０９は、復号した映像データを画像切替部１１０に出力する。
【００５６】
画像切替部１１０は、制御部１０５の報知情報生成部１０５３が出力する報知データが入力された場合、報知データを表示用の表示映像データとする。また、画像切替部１１０は、制御部１０５の報知情報生成部１０５３が出力する報知データが入力されなかった場合、映像復号部１０９が出力する映像データを表示用の表示映像データとする。なお、報知情報については、後述する。画像切替部１１０は、表示映像データを表示装置１５に出力する。
【００５７】
操作入力部１１１は、利用者によって操作された操作結果を検出し、検出した操作結果を示す情報を制御部１０５に出力する。操作結果を示す情報には、例えば、受信装置１０の電源のオン状態またはオフ状態を示す情報、放送波のチャネルを示す情報等が含まれている。操作入力部１１１は、例えば、操作ボタン、リモートコントローラ、携帯端末装置等の電子機器から操作信号を受信する入力インタフェース、等である。
【００５８】
（報知処理、受信処理）
次に、本実施形態に係る報知処理及び受信処理について説明する。
図１２は、本実施形態に係る報知処理及び受信処理の手順を示すフローチャートである。なお、図１２に示す例では、利用者によって放送衛星４１を介して放送番組のチャンネルが選択された例を説明する。
【００５９】
（ステップＳ２０１）利用者は、操作入力部１１１（図９）を操作して、チャンネルを選択する。操作入力部１１１は、操作された操作結果を示す情報を制御部１０５に出力する。次に、制御部１０５は、操作入力部１１１が出力する操作結果を示す情報に応じて、チャンネル情報を生成し、生成したチャンネル情報をＲＦ受信部１０１に出力する。続けて、ＲＦ受信部１０１は、放送衛星４１を介して電波を受信する。
【００６０】
（ステップＳ２０２）解像度判別部１０５２は、構成データに含まれるＭＰＴを検出する。
（ステップＳ２０３）解像度判別部１０５２は、構成データに含まれるＭＰＴのアセットグループ記述子領域からアセットグループ記述子を抽出する。次に、解像度判別部１０５２は、抽出したアセットグループ記述子から同じグループＩＤのアセットグループ記述子を抽出する。
【００６１】
（ステップＳ２０４）解像度判別部１０５２は、選択した選択レベル０に対応するＭＨ−映像コンポーネント記述子をＭＴＰのＭＰＴ記述子領域から抽出する。
（ステップＳ２０５）解像度判別部１０５２は、抽出したＭＨ−映像コンポーネント記述子の映像信号解像度に基づいて、現在受信している放送番組の映像データの解像度を検出する。続けて、解像度判別部１０５２は、検出した映像データの解像度と、解像度取得部１０５１が出力する表示可能解像度情報とに基づいて、抽出した選択レベルに対応する映像データが表示装置１５で表示可能であるか否かを判別する。解像度判別部１０５２は、抽出した選択レベルに対応する映像データが表示装置１５で表示可能であると判別した場合（ステップＳ２０５；ＹＥＳ）、ステップＳ２１０に処理を進め、抽出した選択レベルに対応する映像データが表示装置１５で表示できないと判別した場合（ステップＳ２０５；ＮＯ）、ステップＳ２０６に処理を進める。
【００６２】
（ステップＳ２０６）報知情報生成部１０５３は、解像度判別部１０５２が出力する映像データの解像度を示す情報、及び映像データが表示装置１５で表示できないことを示す情報に基づいて、現在受信している映像データが表示装置１５で表示できないことを示す報知データを生成する。続けて、報知情報生成部１０５３は、生成した報知データを画像切替部１１０に出力する。次に、画像切替部１１０は、解像度判別部１０５２が出力する報知データを表示用の表示映像データとする。続けて、画像切替部１１０は、表示映像データを表示装置１５に出力する。次に、表示装置１５は、表示映像データに基づいて、現在受信している放送番組が表示できないことを示す文字情報の画像を表示面Ｄ上に表示する。
【００６３】
（ステップＳ２０７）解像度判別部１０５２は、同じグループＩＤの全ての選択レベルについて確認したか否かを判別する。解像度判別部１０５２は、同じグループＩＤの全ての選択レベルについて確認したと判別した場合（ステップＳ２０７；ＹＥＳ）、ステップＳ２０９に処理を進め、同じグループＩＤの全ての選択レベルについて確認していないと判別した場合（ステップＳ２０７；ＮＯ）、ステップＳ２０８に処理を進める。
（ステップＳ２０７）解像度判別部１０５２は、未確認の他の選択レベルのアセットグループ記述子を選択する。選択後、解像度判別部１０５２は、ステップＳ２０５に処理を戻す。
【００６４】
（ステップＳ２０８）解像度判別部１０５２は、現在受信または受け取っている放送番組の映像データの解像度を示す情報、及び映像データが表示装置１５で表示できないことを示す情報を報知情報生成部１０５３に出力する。続けて、解像度判別部１０５２が出力する映像データの解像度を示す情報、及び映像データが表示装置１５で表示できないことを示す情報に基づいて、現在受信または受け取っている映像データが表示装置１５で表示できないことを示す報知データを生成する。次に、報知情報生成部１０５３は、生成した報知データを画像切替部１１０に出力する。続けて、画像切替部１１０は、報知データを表示用の表示映像データとし、表示映像データを表示装置１５に出力する。次に、表示装置１５は、表示映像データに基づいて、現在受信している放送番組に対応する表示装置１５上で表示可能なサイマル放送がないことを示す文字情報の画像を、図１１のように表示面Ｄ上に表示する。制御部１０５は、報知後、処理を終了する。
【００６５】
（ステップＳ２０８）受信データ選択部１０５４は、ステップＳ２０５において、現在受信している放送番組が表示装置１５上で表示可能な場合、現在受信している放送の受信を継続することを決定する。または、受信データ選択部１０５４は、現在受信している放送番組が表示装置１５上で表示可能ではない場合、解像度判別部１０５２が出力する配信元を示す情報または送信元を示す情報に基づいて、サイマル放送の送信元または配信元を選択する。なお、解像度判別部１０５２は、解像度判別部１０５２が送信元を示す情報と配信元を示す情報の２つを出力した場合、各情報に含まれる選択レベルを比較し、解像度の高い方を選択し、選択した送信元または配信元を再生する放送として決定する。例えば、送信元を示す情報に含まれる選択レベルが２であり、配信元を示す情報に含まれる選択レベルが１である場合、解像度判別部１０５２は、選択レベルの値が小さい方の放送に対応するサイマル映像を配信している送信元または配信元を選択する。続けて、解像度判別部１０５２は、決定したサイマル放送の送信元または配信元を示す情報とし受信データ選択部１０５４に出力し、ステップＳ２１１に処理を進める。
【００６６】
（ステップＳ２１１）受信データ選択部１０５４は、ステップＳ２１０で決定した再生する放送を示す情報に基づいて、選択信号を生成する。続けて、受信データ選択部１０５４は、生成した選択信号を復調・解除部１０３に出力する。次に、復調・解除部１０３は、選択信号に応じて、放送衛星４１から受信した電波に基づく多重化データ、電波塔４２から受信した電波に基づく多重化データ、及びＩＰ通信部１０２が受け取った多重化データのうち１つを選択する。続けて、復調・解除部１０３は、選択した多重化データを復調及び暗号を解除して、復調及び暗号を解除した多重化データを分離部１０４に出力する。次に、音声復号部１０７は、分離部１０４で分離された音声データを復号して拡声部１０８から音声信号を再生する。映像復号部１０９は、分離部１０４で分離された映像データを復号して、画像切替部１１０から再生映像データに基づく映像信号を表示装置１５に表示する。
なお、選択レベルに対応するサイマル映像が複数有る場合は、）ステップＳ２０６の処理を省略してもよい。
以上で、報知処理及び受信処理を終了する。
【００６７】
以上のように、本実施形態の受信装置１０は、番組データと、番組に関する情報を含む構成データと、を含む放送波を受信する受信部（例えばＲＦ受信部１０１）と、受信部によって受信した番組データに含まれる構成データと、映像の解像度を示す情報と、に基づいて、番組データに含まれる映像データの解像度が表示装置で表示可能な解像度であるか否かを判別する解像度判別部１０５２と、解像度判別部によって映像データの解像度が表示装置で表示できないと判別された場合に、映像データの解像度が表示装置で表示できないことを示す情報を報知する報知情報生成部１０５３と、を備える。
【００６８】
この構成によって、本実施形態の受信装置１０は、受信した映像データの解像度が受信装置に接続される表示装置１５の解像度より高い場合であっても、受信した番組が表示装置１５では表示できないことを報知することができる。これにより、利用者は操作入力部１１１を操作して選択した番組が表示装置１５で表示できない番組であることを知ることができる。この結果、本実施形態の受信装置１０では、超高解像度テレビジョン放送を利用しやすくすることができる。
【００６９】
また、本実施形態の受信装置１０は、表示装置１５が表示可能な映像の解像度を示す情報を表示装置から取得する解像度取得部１０５１、をさらに備え、解像度判別部１０５２は、受信部（例えばＲＦ受信部１０１）によって受信した番組データに含まれる構成データと、解像度取得部によって取得された表示装置が表示可能な映像の解像度を示す情報と、に基づいて、番組データに含まれる映像データの解像度が表示装置で表示可能か否かを判別するようにしてもよい。
【００７０】
また、本実施形態の受信装置１０は、表示装置１５が表示可能な映像の解像度を示す情報を表示装置から取得する解像度取得部１０５１、をさらに備え、解像度判別部１０５２は、受信部によって受信した番組データに含まれる構成データと、解像度取得部によって取得された表示装置が表示可能な映像の解像度を示す情報と、に基づいて、番組データに含まれる映像データの解像度が表示装置で表示可能か否かを判別するようにしてもよい。
【００７１】
また、本実施形態の受信装置１０Ａにおいて、解像度判別部１０５２は、構成データに含まれる現在放送されている放送番組の解像度を抽出し、抽出した現在放送されている放送番組の解像度が、表示装置１５が表示可能な映像の解像度より高い場合に、現在放送されている番組データに含まれる映像データの解像度が表示装置で表示可能ではないと判別し、報知情報生成部１０５３は、解像度判別部が判別した結果に基づいて、現在放送されている放送番組が表示装置で表示できないことを示す情報を報知する。
【００７２】
この構成によって、本実施形態の受信装置１０は、受信した映像データの解像度が受信装置に接続される表示装置の解像度より高い場合であっても、受信している現在の番組が表示装置１５では表示できないことを報知することができる。これにより、利用者は操作入力部１１１を操作して選択した現在の番組が表示装置１５で表示できない番組であることを知ることができる。この結果、本実施形態の受信装置１０では、超高解像度テレビジョン放送を利用しやすくすることができる。
【００７３】
この構成によって、本実施形態の受信装置１０では、受信装置１０と表示装置１５とがケーブル等で接続され、かつ利用者によって選択されたチャンネルの放送番組が表示装置１５に表示できない解像であっても、表示装置１５が表示可能な解像度の映像データを表示装置１５に表示させることができる。
【００７４】
また、本実施形態の受信装置１０において、放送波を送信する送信装置２０とは異なる他装置と通信して番組データと構成データとを受け取る通信部（例えばＩＰ通信部１０２）と、解像度判別部１０５２が出力する表示装置で表示可能な当該番組データを放送している、送信装置である送信元、または他装置である配信元を示す情報に応じて、送信元または配信元から番組データと構成データとを受信または受け取るように制御する受信データ選択部１０５４、をさらに備え、解像度判別部は、報知情報生成部１０５３によって現在放送されている放送番組を表示装置１５で表示できないことを示す情報が報知された後、構成データと表示装置が表示可能な映像の解像度を示す情報と、に基づいて、表示装置で表示可能な映像データを含む同じ番組が、受信部によって受信することができる他の放送波または通信部によって受け取れる番組データにあるか否かを判別し、表示装置で表示可能な映像データを含む同じ番組が他の放送波または通信部によって受け取れる番組データにある場合に、表示装置で表示可能な当該番組データを放送している送信元または配信元を示す情報を受信データ選択部に出力するようにしてもよい。
【００７５】
この構成によって、本実施形態の受信装置１０は、受信した映像データの解像度が受信装置に接続される表示装置の解像度より高い場合、サイマル放送されている表示装置１５で表示可能な放送に自動的に切り換えることができる。これにより、本実施形態の受信装置１０は、利用者によって選択されたチャンネルの番組が、表示装置１５で表示できない解像度の場合であっても、表示装置１５で表示可能な番組を受信装置１０が自動的に受信して表示装置１５に表示することができる。この結果、利用者は表示装置１５で表示できない番組のチャンネルを選択した場合であっても、見たい番組を見逃すことなく見ることができる。
【００７６】
また、本実施形態の受信装置１０において、解像度判別部１０５２は、表示装置１５で表示可能な当該番組データを放送している送信元または配信元がない場合に、番組データに含まれる映像データの解像度が表示装置で表示できる番組データがないことを示す情報を報知情報生成部１０５３に出力し、報知情報生成部は、解像度判別部が出力する映像データの解像度が表示装置で表示な番組データがないことを示す情報に応じて、表示装置で表示できる放送番組の番組データがないことを示す情報を報知する。
【００７７】
従来技術による受信装置と表示装置では、利用者によって表示装置で表示できない番組のチャンネルが選択された場合、かつ表示装置で表示可能なサイマル放送がない場合、表示装置には、何も表示されなかった。
この構成によって、本実施形態の受信装置１０は、利用者によって表示装置で表示できない番組のチャンネルが選択された場合、かつ表示装置で表示可能なサイマル放送がない場合に、表示装置で表示できる放送番組の番組データがないことを示す情報が報知することができる。これにより、利用者は、選択した番組が表示装置１５では見ることができないことを知ることができる。そして、利用者は、この報知に基づいて、他の番組にチャンネルを切り換えることができる。この結果、本実施形態の受信装置１０では、超高解像度テレビジョン放送を利用しやすくすることができる。
【００７８】
＜第２実施形態＞
次に、本発明の第２実施形態について、図面を参照しながら説明する。
送信装置２０、サーバ装置３０、放送衛星４１、電波塔４２、及びネットワーク４３は、第１実施形態の放送システム１と同じである。
【００７９】
（ＭＨ−イベント情報テーブル（ＭＨ−ＥＩＴ）のデータ構造）
次に、ＭＨ−イベント情報テーブルのデータ構造（ＭＨ−Ｅｖｅｎｔ＿Ｉｎｆｏｒｍａｔｉｏｎ＿Ｔａｂｌｅ（））の例について説明する。
図１３は、ＭＨ−イベント情報テーブルのデータ構造の例を示す図である。図１３に示すように、ＭＨ−イベント情報テーブルには、テーブル識別子（ｔａｂｌｅ＿ｉｄ）、セクションシンタクス指示（ｓｅｃｔｉｏｎ＿ｓｙｎｔａｘ＿ｉｎｄｉｃａｔｏｒ）、セクション長（ｓｅｃｔｉｏｎ＿ｌｅｎｇｔｈ）、サービス識別（ｓｅｒｖｉｃｅ＿ｉｄ）、バージョン番号（ｖｅｒｓｉｏｎ＿ｎｕｍｂｅｒ）、カレントネクスト指示（ｃｕｒｒｅｎｔ＿ｎｅｘｔ＿ｉｎｄｉｃａｔｏｒ）、セクション番号（ｓｅｃｔｉｏｎ＿ｎｕｍｂｅｒ）、最終セクション番号（ｌａｓｔ＿ｓｅｃｔｉｏｎ＿ｎｕｍｂｅｒ）、ＴＬＶストリーム識別（ｔｌｖ＿ｓｔｒｅａｍ＿ｉｄ）、オリジナルネットワーク識別（ｏｒｉｇｉｎａｌ＿ｎｅｔｗｏｒｋ＿ｉｄ）、セグメント最終セクション番号（ｓｅｇｍｅｎｔ＿ｌａｓｔ＿ｓｅｃｔｉｏｎ＿ｎｕｍｂｅｒ）、最終テーブル識別（ｌａｓｔ＿ｔａｂｌｅ＿ｉｄ）、イベント識別（ｅｖｅｎｔ＿ｉｄ）、開始時間（ｓｔａｒｔ＿ｔｉｍｅ）、継続時間（ｄｕｒａｔｉｏｎ）、進行状態（ｒｕｎｎｉｎｇ＿ｓｔａｔｕｓ）、スクランブル（ｆｒｅｅ＿ＣＡ＿ｍｏｄｅ）、記述子ループ長（ｄｅｓｃｒｉｐｔｏｒｓ＿ｌｏｏｐ＿ｌｅｎｇｔｈ）、ＣＲＣ（ＣＲＣ＿３２）を含んでいる。
なお、ＭＨ−イベント情報テーブルには、受信しているチャンネルについての現在放送されている番組に関する情報と、次に放送される番組に関する情報とが記述されている。
【００８０】
サイマル放送を提供する場合、構成情報生成部２１２は、記述子ループ長に続く記述子領域（ｄｅｓｃｒｉｐｔｏｒ（））に、現在受信している放送番組に対するサイマル放送に関する情報をサイマル放送毎に記述する。ここで、サイマル放送に関する情報とは、サイマル放送が送信または配信されている伝送網を示す情報、サイマル放送が送信されている周波数を示す情報（または放送衛星とチャンネルを示す情報）、サイマル放送が配信されているネットワーク４３を示す情報、サイマル放送されている映像信号の垂直方向の解像度を含む情報である。
【００８１】
図１３において、テーブル識別子には、各テーブルを識別するための情報が記述される。セクションシンタクス指示には、常に1が記述される。セクション長には、セクション長フィールドの直後からＣＲＣ（Ｃｙｃｌｉｃ  Ｒｅｄｕｎｄａｎｃｙ  Ｃｈｅｃｋ）を含むセクションの最後までのセクションのバイト数を規定する情報が記述される。サービス識別には、ＴＬＶストリーム内の他のサービスからこのサービスを識別するためのラベルの役割をする情報が記述される。バージョン番号には、サブテーブルのバージョン番号が記述される。カレントネクスト指示には、サブテーブルが現在のサブテーブルであることを示す情報、または、送られるサブテーブルがまだ適用されず、次のサブテーブルとして使用されることを示す情報が記述される。セクション番号には、はセクションの番号を表す情報が記述される。ＴＬＶストリーム識別には、ＥＩＴが示すこのＴＬＶストリームをその分配システム内の他の多重から識別するラベルの役割をする情報が記述される。オリジナルネットワーク識別には、元の分配システムのネットワーク識別を規定するラベルの役割をする情報が記述される。セグメント最終セクション番号には、サブテーブルのこのセグメントの最後のセクションの番号を規定する情報が記述される。最終テーブル識別には、使用されている最終のテーブル識別する情報が記述される。イベント識別には、記載されているイベントの識別番号を示す情報が記述される。開始時間には、イベントの開始時間、すなわち放送番組の開始時間を日本標準時（ＪＳＴ）と修正ユリウス日で示す情報が記述される。継続時間には、イベントの継続時間、すなわち放送番組の放送時間長を時、分、秒で表す情報が記述される。進行状態には、イベントの状態を示す情報が記述される。スクランブルには、そのイベント内の全てのコンポーネントストリームがスクランブルされていないことを示す情報、または、一つ以上のストリームへのアクセスがＣＡ（Ｃｏｎｄｉｔｉｏｎａｌ  Ａｃｃｅｓｓ）システムにより制御されていることを示す情報が記述される。記述子ループ長には、後続の記述子の全バイト長を示す情報が記述される。ＣＲＣには、ＩＴＵ-Ｔ勧告Ｈ．２２２．０に従う情報が記述される。
【００８２】
（受信装置の構成）
次に、受信装置１０Ａの構成について説明する。
図１４は、本実施形態に係る受信装置１０Ａの構成を示すブロック図である。受信装置１０Ａは、ＲＦ受信部１０１、ＩＰ通信部１０２、復調・解除部１０３、分離部１０４、制御部１０５Ａ、記憶部１０６、音声復号部１０７、拡声部１０８、映像復号部１０９、画像切替部１１０、及び操作入力部１１１を含んで構成される。また、制御部１０５Ａは、解像度取得部１０５１、解像度判別部１０５２Ａ、報知情報生成部１０５３、及び受信データ選択部１０５４Ａを含んで構成される。
なお、第１実施形態と同じ機能を有する機能部には、同じ符号を用いて説明を省略する。
【００８３】
ＲＦ受信部１０１には、制御部１０５Ａから放送チャンネルに応じた放送チャンネル帯域を示すチャンネル情報が入力される。ＲＦ受信部１０１は、放送衛星４１または電波塔４２が送信した多重化データの電波を受信し、受信した多重化データの電波の中からチャンネル情報に応じた放送チャンネル帯域の電波を選択する。ＲＦ受信部１０１のアンテナ（図示せず）は、選択した放送チャンネル帯域の電波を電気信号に変換する。ＲＦ受信部１０１は、電気信号に変換した多重化データを復調・解除部１０３に出力する。
【００８４】
ＩＰ通信部１０２には、制御部１０５Ａから配信を受ける通信指示情報が入力される。通信指示情報には、ＩＰアドレスが含まれている。ＩＰ通信部１０２は、通信指示情報に応じてネットワーク４３を介してサーバ装置３０が配信した多重化データを受け取り、受け取った多重化データを復調・解除部１０３に出力する。
【００８５】
復調・解除部１０３には、制御部１０５Ａの受信データ選択部１０５４Ａが出力する選択信号が入力される。復調・解除部１０３は、選択信号に応じて、放送衛星４１から受信した電波に基づく多重化データ、電波塔４２から受信した電波に基づく多重化データ、及びＩＰ通信部１０２が受け取った多重化データのうち１つを選択する。復調・解除部１０３は、選択した多重化データが変調されている場合、変調されている多重化データを復調する。復調・解除部１０３は、選択した多重化データを、送信装置２０の暗号化部２１４で用いられた方式に対応する暗号化方式（例えば、ＡＥＳ）で暗号を解除し、暗号を解除した多重化データを分離部１０４に出力する。
【００８６】
制御部１０５Ａは、受信装置１０Ａの種々の動作を制御する。制御部１０５Ａには、操作入力部１１１が出力する操作結果を示す情報、分離部１０４が出力する構成データ、及び表示装置１５が出力する表示可能解像度情報が入力される。制御部１０５Ａは、操作結果を示す情報と構成データとに基づいて選択信号を生成し、生成した選択信号をＲＦ受信部１０１及びＩＰ通信部１０２に出力する。
【００８７】
解像度取得部１０５１は、表示装置１５が出力する表示可能解像度情報を取得し、取得した表示可能解像度情報を解像度判別部１０５２Ａに出力する。
解像度判別部１０５２Ａは、構成データに含まれるＭＰＴのＭＰＴ記述子領域からＭＨ−映像コンポーネント記述子を抽出する。解像度判別部１０５２Ａは、抽出したＭＨ−映像コンポーネント記述子の映像信号解像度に基づいて、現在受信している放送番組の映像データの解像度を検出する。解像度判別部１０５２Ａは、検出した映像データの解像度と、解像度取得部１０５１が出力する表示可能解像度情報とに基づいて、映像データが表示装置１５で表示可能であるか否かを判別する。
映像データが表示装置１５で表示可能である場合、解像度判別部１０５２Ａは、多重化データの受信または受け取りを継続することを示す情報を受信データ選択部１０５４Ａに出力する。
【００８８】
映像データが表示装置１５で表示可能ではない場合、解像度判別部１０５２Ａは、映像データの解像度を示す情報、及び映像データが表示装置１５で表示できないことを示す情報を報知情報生成部１０５３に出力する。報知情報生成部１０５３に出力後、解像度判別部１０５２Ａは、映像データが表示装置１５で表示可能ではない場合、ＭＨ−イベント情報テーブルの記述子領域（ｄｅｓｃｒｉｐｔｏｒ（））に記述されている情報と、表示可能解像度情報とに基づいて、表示装置１５で表示可能な解像度の映像データによるサイマル放送（以下、サイマル映像ともいう）が、現在受信している受信網とは異なる受信網及び配信網で送信されているか検索する。
【００８９】
サイマル映像がある場合、解像度判別部１０５２Ａは、表示装置１５で表示可能な解像度の映像データを含む多重化データが送信されている放送チャンネルに応じた放送チャンネル帯域または配信元のＩＰアドレス等を抽出する。解像度判別部１０５２Ａは、抽出した受信網と放送チャンネルと解像度それぞれを示す情報とを関連付けて、関連付けた情報を送信元を示す情報として報知情報生成部１０５３に出力する。また、解像度判別部１０５２Ａは、抽出した通信網とＩＰアドレス等と解像度それぞれを示す情報とを関連付けて、関連付けた情報を送信元を示す情報として報知情報生成部１０５３に出力する。解像度判別部１０５２Ａは、抽出した結果に基づいて、サイマル放送の送信元を示す情報を受信データ選択部１０５４Ａに出力する。
現在受信している受信網及とは異なる受信網及び通信網にサイマル映像がない場合、解像度判別部１０５２Ａは、サイマル映像がないことを示す情報を受信データ選択部１０５４Ａに出力する。
【００９０】
報知情報生成部１０５３は、解像度判別部１０５２Ａが出力する映像データの解像度を示す情報、及び映像データが表示装置１５で表示できないことを示す情報に基づいて、現在受信または受け取っている映像データが表示装置１５で表示できないことを示す報知データを生成する。報知情報生成部１０５３は、生成した報知データを画像切替部１１０に出力する。報知情報は、画像であり、例えば図１０に示す例のように「この表示装置は８Ｋ放送に対応していません」の文字情報を含む画像情報である。
【００９１】
また、報知情報生成部１０５３は、解像度判別部１０５２Ａが出力するサイマル映像がないことを示す情報に基づいて、表示装置１５で表示できるサイマル放送がないことを示す報知データを生成する。報知情報生成部１０５３は、生成した報知データを画像切替部１１０に出力する。報知情報は、画像であり、例えば図１１に示す例のように「この表示装置は８Ｋ放送に対応していません」の文字情報を含む画像情報である。
【００９２】
なお、本実施形態では、報知情報が文字情報を含む画像情報の例を説明したが、これに限られない。報知情報は、音声情報であってもよい。この場合、報知情報生成部１０５３は、例えば「この表示装置で表示できるサイマル放送がありません」の文字情報を音声信号に変換して、変換した音声信号を拡声部１０８に出力するようにしてもよい。報知情報生成部１０５３は、文字情報または音声信号のうち、少なくとも１つを用いて報知を行うようにしてもよい。
【００９３】
受信データ選択部１０５４Ａは、解像度判別部１０５２Ａが出力するサイマル放送の送信元を示す情報、または配信元を示す情報に基づいて、選択信号を生成する。選択信号は、どの放送網または通信網によって受信また受け取った多重化データを選択する信号である。なお、選択信号が、放送網を選択する信号の場合、制御部１０５Ａは、チャンネル情報を生成し、生成したチャンネル情報をＲＦ受信部１０１に出力する。
なお、受信データ選択部１０５４Ａは、表示装置１５で表示可能なサイマル放送が複数ある場合、表示装置１５で表示可能な最も高画質なサイマル放送を選択し、選択したサイマル放送の送信元を示す情報、または配信元を示す情報に基づいて、選択信号を生成する。
【００９４】
例えば、利用者が操作入力部１１１を操作して選択したチャンネルが放送衛星４１から受信した多重化データであり、その多重化データに含まれる映像データの解像度が８Ｋ放送の場合、制御部１０５Ａは、解像度判別部１０５２によって選択された電波塔４２を介して多重化データを受信する。このとき、制御部１０５Ａは、電波塔４２から受信した電波の中から、サイマル放送を選択するために、サイマル放送を送信しているチャンネルに応じたチャンネル情報をＲＦ受信部１０１に出力する。
【００９５】
画像切替部１１０は、制御部１０５Ａの報知情報生成部１０５３が出力する報知データが入力された場合、報知データを表示用の表示映像データとする。また、画像切替部１１０は、制御部１０５Ａの報知情報生成部１０５３が出力する報知データが入力されなかった場合、映像復号部１０９が出力する映像データを表示用の表示映像データとする。なお、報知情報については、後述する。画像切替部１１０は、表示映像データを表示装置１５に出力する。
【００９６】
操作入力部１１１は、利用者によって操作された操作結果を検出し、検出した操作結果を示す情報を制御部１０５Ａに出力する。操作結果を示す情報には、例えば、受信装置１０の電源のオン状態またはオフ状態を示す情報、放送波のチャネルを示す情報等が含まれている。操作入力部１１１は、例えば、操作ボタン、リモートコントローラ、携帯端末装置等の電子機器から操作信号を受信する入力インタフェース、等である。
【００９７】
（報知処理、受信処理）
次に、本実施形態に係る報知処理及び受信処理について説明する。
図１５は、本実施形態に係る報知処理及び受信処理の手順を示すフローチャートである。なお、図１５に示す例では、利用者によって放送衛星４１を介して放送番組のチャンネルが選択された例を説明する。また、図１５に示す例では、サイマル放送を探す場合、放送網の優先順位が通信網の優先順位より高い例を説明する。
【００９８】
（ステップＳ１）利用者は、操作入力部１１１（図９）を操作して、チャンネルを選択する。操作入力部１１１は、操作された操作結果を示す情報を制御部１０５Ａに出力する。次に、制御部１０５Ａは、操作入力部１１１が出力する操作結果を示す情報に応じて、チャンネル情報を生成し、生成したチャンネル情報をＲＦ受信部１０１に出力する。続けて、ＲＦ受信部１０１は、放送衛星４１を介して電波を受信する。
【００９９】
（ステップＳ２）解像度判別部１０５２Ａは、構成データに含まれるＭＰＴのＭＰＴ記述子領域からＭＨ−映像コンポーネント記述子を検出する。
【０１００】
（ステップＳ３）次解像度判別部１０５２Ａは、抽出したＭＨ−映像コンポーネント記述子の映像信号解像度に基づいて、現在受信している放送番組の映像データの解像度を検出する。次に、解像度判別部１０５２Ａは、検出した映像データの解像度と表示可能解像度情報とに基づいて、映像データが表示装置１５で表示可能であるか否かを判別する。解像度判別部１０５２Ａは、映像データが表示装置１５で表示可能であると判別した場合（ステップＳ３；ＹＥＳ）、ステップＳ１０に処理を進める。解像度判別部１０５２Ａは、映像データが表示装置１５で表示可能ではないと判別した場合（ステップＳ３；ＮＯ）、ステップＳ４に処理を進める。
【０１０１】
（ステップＳ４）報知情報生成部１０５３は、解像度判別部１０５２Ａが出力する映像データの解像度を示す情報、及び映像データが表示装置１５で表示できないことを示す情報に基づいて、現在受信している映像データが表示装置１５で表示できないことを示す報知データを生成する。続けて、報知情報生成部１０５３は、生成した報知データを画像切替部１１０に出力する。次に、画像切替部１１０は、解像度判別部１０５２Ａが出力する報知データを表示用の表示映像データとする。続けて、画像切替部１１０は、表示映像データを表示装置１５に出力する。次に、表示装置１５は、表示映像データに基づいて、現在受信している放送番組が表示できないことを示す文字情報の画像を表示面Ｄ上に表示する。
【０１０２】
（ステップＳ５）報知後、解像度判別部１０５２Ａは、ＭＨ−イベント情報テーブルの記述子領域（ｄｅｓｃｒｉｐｔｏｒ（））に記述されている情報と、表示可能解像度情報とに基づいて、表示装置１５で表示可能な解像度のサイマル放送が、現在受信している受信網とは異なる受信網で送信されているか検索する。続けて、解像度判別部１０５２Ａは、表示装置１５で表示可能な解像度のサイマル映像が現在受信している受信網とは異なる受信網で送信されているか否か判別する。解像度判別部１０５２Ａは、現在受信している受信網とは異なる受信網にサイマル映像があると判別した場合、その受信網と放送チャンネルと解像度それぞれを示す情報とを関連付けて、関連付けた情報を送信元を示す情報として報知情報生成部１０５３に出力する。
【０１０３】
（ステップＳ６）解像度判別部１０５２Ａは、ＭＨ−イベント情報テーブルの記述子領域（ｄｅｓｃｒｉｐｔｏｒ（））に記述されている情報と、表示可能解像度情報とに基づいて、表示装置１５で表示可能な解像度のサイマル放送が、現在受信している受信網とは異なる通信網で配信されているか検索する。続けて、解像度判別部１０５２Ａは、表示装置１５で表示可能な解像度のサイマル映像が通信網で送信されているか否か判別する。解像度判別部１０５２Ａは、通信網にサイマル映像があると判別した場合、その通信網と放送チャンネルと解像度それぞれを示す情報とを関連付けて、関連付けた情報を配信元を示す情報として報知情報生成部１０５３に出力する。
【０１０４】
（ステップＳ７）解像度判別部１０５２Ａは、ステップＳ５とステップＳ６との処理の結果に基づいて、表示装置１５で表示可能な解像度のサイマル映像が現在受信している受信網とは異なる受信網または通信網で配信されているか否か判別する。解像度判別部１０５２Ａは、現在受信している受信網とは異なる受信網または通信網にサイマル映像があると判別した場合（ステップＳ７；ＹＥＳ）、ステップＳ９に処理を進める。解像度判別部１０５２Ａは、現在受信している受信網とは異なる通信網にサイマル映像がない判別した場合（ステップＳ８；ＮＯ）、ステップＳ８に進める。
【０１０５】
（ステップＳ８）解像度判別部１０５２Ａは、映像データの解像度を示す情報、及び映像データが表示装置１５で表示できないことを示す情報を報知情報生成部１０５３に出力する。続けて、解像度判別部１０５２Ａが出力する映像データの解像度を示す情報、及び映像データが表示装置１５で表示できないことを示す情報に基づいて、現在受信または受け取っている映像データが表示装置１５で表示できないことを示す報知データを生成する。次に、報知情報生成部１０５３は、生成した報知データを画像切替部１１０に出力する。続けて、画像切替部１１０は、報知データを表示用の表示映像データとし、表示映像データを表示装置１５に出力する。次に、表示装置１５は、表示映像データに基づいて、現在受信している放送番組に対応する表示装置１５上で表示可能なサイマル放送がないことを示す文字情報の画像を、図１１のように表示面Ｄ上に表示する。制御部１０５Ａは、報知後、処理を終了する。
【０１０６】
（ステップＳ９）受信データ選択部１０５４Ａは、ステップＳ３において、現在受信している放送番組が表示装置１５上で表示可能な場合、現在受信している放送の受信を継続することを決定する。または、受信データ選択部１０５４Ａは、現在受信している放送番組が表示装置１５上で表示可能ではない場合、解像度判別部１０５２Ａが出力する配信元を示す情報または送信元を示す情報に基づいて、サイマル放送の送信元または配信元を選択する。なお、受信データ選択部１０５４Ａは、解像度判別部１０５２Ａが送信元を示す情報と配信元を示す情報の２つを出力した場合、各情報に含まれる解像度を比較し、解像度の高い方を選択し、選択した送信元または配信元を再生する放送として決定する。例えば、送信元を示す情報に含まれる解像度が２Ｋ放送に対応する解像度であり、配信元を示す情報に含まれる解像度が４Ｋ放送に対応する解像度である場合、受信データ選択部１０５４Ａは、４Ｋ放送に対応するサイマル映像を配信している配信元を選択する。続けて、受信データ選択部１０５４Ａは、ステップＳ１０に処理を進める。
【０１０７】
（ステップＳ１０）受信データ選択部１０５４Ａは、ステップＳ９で決定した再生する放送を示す情報に基づいて、選択信号を生成する。続けて、受信データ選択部１０５４Ａは、生成した選択信号を復調・解除部１０３に出力する。次に、復調・解除部１０３は、選択信号に応じて、放送衛星４１から受信した電波に基づく多重化データ、電波塔４２から受信した電波に基づく多重化データ、及びＩＰ通信部１０２が受け取った多重化データのうち１つを選択する。続けて、復調・解除部１０３は、選択した多重化データを復調及び暗号を解除して、復調及び暗号を解除した多重化データを分離部１０４に出力する。次に、音声復号部１０７は、分離部１０４で分離された音声データを復号して拡声部１０８から音声信号を再生する。映像復号部１０９は、分離部１０４で分離された映像データを復号して、画像切替部１１０から再生映像データに基づく映像信号を表示装置１５に表示する。
以上で、報知処理及び受信処理を終了する。
【０１０８】
図１５に示した例では、ステップＳ５において、他の放送網において表示装置１５上で表示可能なサイマル映像を検索し、ステップＳ６において、通信網において表示装置１５上で表示可能なサイマル映像を検索する例を説明したが、これに限られない。ステップＳ５において、報知後、解像度判別部１０５２Ａは、ＭＨ−イベント情報テーブルの記述子領域（ｄｅｓｃｒｉｐｔｏｒ（））に記述されている情報と、表示可能解像度情報とに基づいて、表示装置１５で表示可能な解像度のサイマル放送が、現在受信している受信網とは異なる受信網及び通信網で送信または配信されているか検索するようにしてもよい。そして、解像度判別部１０５２Ａは、検索した結果をステップＳ５及びステップＳ６と同様に記憶部１０６に記憶させるようにしてもよい。
【０１０９】
また、受信データ選択部１０５４Ａは、ステップＳ９において、表示装置１５で表示可能な解像度の同じ複数のサイマル放送がある場合、予め定められている優先順位に応じて、サイマル放送の送信元を示す情報、または配信元を示す情報を選択するようにしてもよい。
【０１１０】
以上のように、本実施形態の受信装置１０Ａにおいて、受信データ選択部１０５４Ａは、表示装置１５で表示可能な当該番組データを放送している送信元（例えば、放送衛星４１、電波塔４２）または配信元（例えば、サーバ装置３０とネットワーク４３）が複数ある場合に、所定の優先順位に基づいて、送信元または配信元を選択し、選択した送信元または配信元を示す情報に応じて、送信元または配信元から番組データと構成データとを受信または受け取るように制御する。
【０１１１】
この構成によって、本実施形態の受信装置１０は、利用者によって表示装置で表示できない番組のチャンネルが選択された場合、かつ表示装置で表示可能な複数のサイマル放送がある場合に、表示装置１５で表示可能な番組を受信装置１０が自動的に受信して表示装置１５に表示することができる。この結果、利用者は表示装置１５で表示できない番組のチャンネルを選択した場合であっても、見たい番組を見逃すことなく見ることができる。
【０１１２】
＜第３実施形態＞
本発明の第３実施形態について、図面を参照しながら説明する。
送信装置２０、サーバ装置３０、放送衛星４１、電波塔４２、及びネットワーク４３は、第１実施形態の放送システム１と同じである。
次に、受信装置１０の構成について説明する。
図１６は、本実施形態に係る受信装置１０Ｂの構成を示すブロック図である。受信装置１０は、ＲＦ受信部１０１、ＩＰ通信部１０２、復調・解除部１０３、分離部１０４、制御部１０５Ｂ、記憶部１０６、音声復号部１０７、拡声部１０８、映像復号部１０９、操作入力部１１１、及び画像合成部１１２を含んで構成される。また、制御部１０５Ｂは、解像度取得部１０５１、解像度判別部１０５２Ｂ、報知情報生成部１０５３Ｂ、及び受信データ選択部１０５４Ｂを含んで構成される。
【０１１３】
第２実施形態で説明したように、ＭＨ−イベント情報テーブルには、受信しているチャンネルについての現在放送されている番組に関する情報と、次に放送される番組に関する情報とが記述されている。
制御部１０５Ｂは、受信装置１０Ａの種々の動作を制御する。制御部１０５Ｂには、操作入力部１１１が出力する操作結果を示す情報、分離部１０４が出力する構成データ、及び表示装置１５が出力する表示可能解像度情報が入力される。制御部１０５Ｂは、操作結果を示す情報と構成データとに基づいて選択信号を生成し、生成した選択信号をＲＦ受信部１０１及びＩＰ通信部１０２に出力する。
【０１１４】
解像度判別部１０５２Ｂは、構成データに含まれるＭＰＴのＭＰＴ記述子領域からＭＨ−映像コンポーネント記述子を抽出する。解像度判別部１０５２Ｂは、抽出したＭＨ−映像コンポーネント記述子の映像信号解像度に基づいて、次に放送される放送番組の映像データの解像度を検出する。解像度判別部１０５２Ｂは、検出した映像データの解像度と表示可能解像度情報とに基づいて、映像データが表示装置１５で表示可能であるか否かを判別する。
次の放送番組の映像データが表示装置１５で表示可能である場合、解像度判別部１０５２Ｂは、多重化データの受信または受け取りを継続することを示す情報を受信データ選択部１０５４Ｂに出力する。次の放送番組の映像データが表示装置１５で表示可能ではない場合、解像度判別部１０５２Ｂは、次の放送番組の映像データの解像度を示す情報、及び映像データが表示装置１５で表示できないことを示す情報を報知情報生成部１０５３Ｂに出力する。
【０１１５】
報知情報生成部１０５３Ｂは、解像度判別部１０５２Ｂが出力する映像データの解像度を示す情報、及び映像データが表示装置１５で表示できないことを示す情報に基づいて、現在受信または受け取っている映像データが表示装置１５で表示できないことを示す報知データを生成する。報知情報生成部１０５３Ｂは、生成した報知データを画像合成部１１２に出力する。報知情報は、画像であり、例えば図１７に示す例のように「次に放送される番組は８Ｋ放送です。この表示装置は８Ｋ放送に対応していません」の文字情報を含む画像情報である。図１７は、本実施形態に係る表示装置１５上に表示される報知情報の画像の例を示す図である。図１７に示す例は、表示装置１５が、２Ｋ放送と４Ｋ放送の解像度の映像データを表示でき、８Ｋ放送を表示できない例である。そして、図１７に示す例は、表示装置１５の表示面Ｄ上に「次に放送される番組は８Ｋ放送です。この表示装置は８Ｋ放送に対応していません」の文字情報を含む画像情報ｇ１２１が表示される例である。
【０１１６】
受信データ選択部１０５４Ｂは、解像度判別部１０５２Ｂが出力するサイマル放送の送信元を示す情報、または配信元を示す情報に基づいて、選択信号を生成する。選択信号は、どの放送網または通信網によって受信また受け取った多重化データを選択する信号である。なお、選択信号が、放送網を選択する信号の場合、制御部１０５Ｂは、チャンネル情報を生成し、生成したチャンネル情報をＲＦ受信部１０１に出力する。
【０１１７】
画像合成部１１２は、報知情報生成部１０５３Ｂが出力する報知データが入力された場合、報知データを映像復号部１０９が出力する映像データに合成して、合成した映像データを表示用の表示映像データとする。画像合成部１１２は、表示映像データを表示装置１５に出力する。
【０１１８】
（報知処理、受信処理）
次に、本実施形態に係る報知処理及び受信処理について説明する。
図１８は、本実施形態に係る報知処理及び受信処理の手順を示すフローチャートである。なお、図１８に示す例では、利用者によって放送衛星４１を介して放送番組のチャンネルが選択された例を説明する。
【０１１９】
（ステップＳ１０１）利用者は、操作入力部１１１を操作して、チャンネルを選択する。操作入力部１１１は、操作された操作結果を示す情報を制御部１０５Ｂに出力する。次に、制御部１０５Ｂは、操作入力部１１１が出力する操作結果を示す情報に応じて、チャンネル情報を生成し、生成したチャンネル情報をＲＦ受信部１０１に出力する。続けて、ＲＦ受信部１０１は、放送衛星４１を介して電波を受信する。
【０１２０】
（ステップＳ１０２）解像度判別部１０５２Ｂは、構成データに含まれるＭＰＴのＭＰＴ記述子領域からＭＨ−映像コンポーネント記述子を抽出する。次に、解像度判別部１０５２Ｂは、抽出したＭＨ−映像コンポーネント記述子の映像信号解像度に基づいて、次に放送される放送番組の映像データの解像度を検出する。
【０１２１】
（ステップ１０３）解像度判別部１０５２Ｂは、検出した映像データの解像度と表示可能解像度情報とに基づいて、映像データが表示装置１５で表示可能であるか否かを判別する。解像度判別部１０５２Ｂは、映像データが表示装置１５で表示可能であると判別した場合（ステップＳ１０３；ＹＥＳ）、処理を終了する。解像度判別部１０５２Ｂは、映像データが表示装置１５で表示可能ではないと判別した場合（ステップＳ１０３；ＮＯ）、ステップＳ１０４に処理を進める。
【０１２２】
（ステップＳ１０４）報知情報生成部１０５３Ｂは、解像度判別部１０５２Ｂが出力する映像データの解像度を示す情報、及び映像データが表示装置１５で表示できないことを示す情報に基づいて、受信または受け取っている映像データが表示装置１５で表示できないことを示す報知データを生成する。続けて、報知情報生成部１０５３Ｂは、生成した報知データを画像合成部１１２に出力する。次に、画像合成部１１２は、報知情報生成部１０５３Ｂが出力する報知データが入力された場合、報知データを映像復号部１０９が出力する映像データに合成して、合成した映像データを表示用の表示映像データとする。次に、表示装置１５は、表示映像データに基づいて、現在受信している放送番組が表示できないことを示す文字情報の画像を表示面Ｄ上に表示する。
以上で、報知処理及び受信処理を終了する。
【０１２３】
なお、本実施形態においても、ステップＳ１０４において次の番組が表示装置１５で表示できないことを報知した後、第１実施形態または第２実施形態で説明した手法を用いて、表示装置１５で表示可能な映像データのサイマル放送を検索して受信するようにしてもよい。この場合、制御部１０５Ｂは、次の番組が表示装置１５で表示できないことを報知した後、次の番組が始まる前に、表示装置１５で表示可能な映像データのサイマル放送を検索して受信するように切り換えるようにしてもよい。
【０１２４】
以上のように、本実施形態の受信装置１０Ｂにおいて、解像度判別部１０５２Ｂは、構成データに含まれる同じチャンネルで放送される次に放送される放送番組の解像度を抽出し、抽出した次に放送される放送番組の解像度が、表示装置１５が表示可能な映像の解像度より高い場合に、次に放送される番組データに含まれる映像データの解像度が表示装置で表示可能ではないと判別し、報知情報生成部１０５３Ｂは、解像度判別部が判別した結果に基づいて、次に放送される放送番組が表示装置で表示できないことを示す情報を報知する。
【０１２５】
この構成によって、本実施形態の受信装置１０Ｂは、受信しているチャンネルで次に放送される映像データの解像度が受信装置１０Ｂに接続される表示装置１５の解像度より高い場合であっても、次に放送される番組が表示装置１５では表示できないことを報知することができる。これにより、利用者は操作入力部１１１を操作して選択した現在見ている番組の次に放送される番組が表示装置１５で表示できない番組であることを知ることができる。この結果、本実施形態の受信装置１０Ｂでは、超高解像度テレビジョン放送を利用しやすくすることができる。
【０１２６】
また、本実施形態の受信装置１０Ｂにおいて、解像度判別部１０５２Ｂは、報知情報生成部１０５３Ｂによって同じチャンネルで放送される次の放送番組を表示装置１５で表示できないことを示す情報が報知された後、構成データと表示装置が表示可能な映像の解像度を示す情報と、に基づいて、表示装置で表示可能な映像データを含む同じ番組が他の放送波及び通信部（例えばＩＰ通信部１０２）によって受け取れる番組データにあるか否かを判別し、表示装置で表示可能な映像データを含む同じ番組が他の放送波または通信部によって受け取れる番組データにある場合に、表示装置で表示可能な当該番組データを放送している送信元または配信元を示す情報を受信データ選択部に出力し、受信データ選択部は、次の放送番組の放送が始まる前に、解像度判別部が出力する表示装置で表示可能な当該番組データを放送している送信元または配信元を示す情報に応じて、送信元または配信元から番組データと構成データとを受信または受け取るように制御する。
【０１２７】
この構成によって、本実施形態の受信装置１０Ｂは、利用者によって選択されたチャンネルで次に放送される番組が表示装置で表示できない場合に、表示装置１５で表示可能な番組を受信装置１０Ｂが自動的に受信して表示装置１５に表示することができる。この結果、利用者は表示装置１５で表示できない番組のチャンネルを選択した場合であっても、見たい番組を見逃すことなく見ることができる。
【０１２８】
なお、第１実施形態、第２実施形態、及び第３実施形態では、放送衛星４１または電波塔４２からの送信、及びサーバ装置３０とネットワーク４３とを介した配信の例を説明したが、これに限られない。例えば、多重化データの放送網は、ケーブルテレビ放送網であってもよい。この場合、ケーブルテレビ放送網と受信装置１０とは、同軸ケーブルまたは光ケーブルで接続される。そして、受信装置１０は、受信した多重化データから利用者によって選択されたチャンネルに対応する多重化データを選択するようにしてもよい。なお、受信装置１０の記憶部１０６には、放送衛星４１及び電波塔４２を介して放送されている場合のチャンネルと、ケーブルテレビ放送網で放送されているチャンネルとの対応が記憶されているようにしてもよい。制御部１０５（１０５Ａ、１０５Ｂ）は、記憶部１０６に記憶されているチャンネルの対応情報に基づいて、表示装置１５で表示可能なサイマル映像を放送しているチャンネルを抽出し、抽出したチャンネルの放送を受信して表示するようにしてもよい。すなわち、制御部１０５（１０５Ａ、１０５Ｂ）は、利用者によって選択されたチャンネルの映像データが表示装置１５で表示できない場合、表示装置１５上に報知した後、他のチャンネルで表示可能なサイマル放送が行われているか検索するようにしてもよい。
【０１２９】
また、第１実施形態、第２実施形態、及び第３実施形態では、超高解像度テレビジョン放送の例として、４Ｋ放送、８Ｋ放送の例を説明したが、これに限られない。例えば、表示装置１５で表示可能な解像度が８Ｋ放送に対応する解像度であり、放送される映像データの解像度が２Ｋ、４Ｋ、８Ｋ、１６Ｋ、・・・等であってもよい。この場合であっても、受信装置１０は、利用者によって選択されたチャンネルの映像データの解像度が表示装置１５で表示可能か否かを判別し、表示できない場合に報知し、報知後に表示可能なサイマル映像を含むサイマル放送を検索して選択するようにしてもよい。
【０１３０】
また、第１実施形態、第２実施形態、及び第３実施形態で例として示した多重化データに含まれる映像データの解像度、及び表示装置１５で表示可能な解像度の値は一例であり、この値に限られない。各解像度の値は、例えば各国が採用する規格に応じた値であってもよい。
【０１３１】
また、第１実施形態、第２実施形態、及び第３実施形態では、例えば放送衛星４１から受信した多重化データに含まれる映像データの解像度が１種類の例を説明したが、これに限られない。総務省が発表したロードマップを用いて説明したように、実験放送では、放送衛星４１から４Ｋと８Ｋ放送とが１つのチャンネルで時分割によって放送される場合もある。このように、複数種類の解像度が１つのチャンネルで時分割によって放送される場合、制御部１０５（１０５Ａ、１０５Ｂ）は、ＭＨ−イベント情報テーブルの記述子領域（ｄｅｓｃｒｉｐｔｏｒ（））に記述されている情報と、表示可能解像度情報とに基づいて、表示装置１５で表示可能な解像度の映像データを抽出して、抽出した映像データに基づいて表示装置１５に画像を表示するようにしてもよい。この場合、制御部１０５（１０５Ａ、１０５Ｂ）は、受信した放送に８Ｋ放送も含まれているが、含まれている８Ｋ放送を表示装置１５で表示できないことを示す文字情報の画像を４Ｋ放送の画像に重ねて合成し、合成した画像を表示装置１５に表示させるようにしてもよい。
【０１３２】
上述した実施形態では、各種のデータを伝送するための伝送方式として、ＭＰＥＧ−Ｈで規定されたＭＭＴ（ＭＰＥＧ  Ｍｅｄｉａ  Ｔｒａｎｓｐｏｒｔ）によるメディアトランスポート方式が用いる場合を例にしたが、その他の伝送方式、例えば、ＭＰＥＧ−２  
Ｓｙｓｔｅｍｓで規定された方式が用いられてもよい。また、伝送に係るデータ形式、暗号化方式、符号化方式も、その伝送方式で規定された形式または方式が用いられてもよい。
【０１３３】
また、上述した実施形態における受信装置１０、１０Ａ、及び１０Ｂの一部をコンピュータで実現するようにしてもよい。その場合、この制御機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、認識データ伝送装置に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【符号の説明】
【０１３４】
１…放送システム、１０、１０Ａ、１０Ｂ…受信装置、１５…表示装置、２０…送信装置、３０…サーバ装置、４１…放送衛星、４２…電波塔、４３…ネットワーク、１０１…ＲＦ受信部、１０２…ＩＰ通信部、１０３…復調・解除部、１０４…分離部、１０５、１０５Ａ…制御部、１０６…記憶部、１０７…音声復号部、１０８…拡声部、１０９…映像復号部、１１０…画像切替部、１１１…操作入力部、１１２…画像合成部、１０５１…解像度取得部、１０５２、１０５２Ａ、１０５２Ｂ…解像度判別部、１０５３、１０５３Ｂ…報知情報生成部、１０５４、１０５４Ａ、１０５４Ｂ…受信データ選択部、２１１…番組データ生成部、２１２…構成情報生成部、２１３…多重化部、２１４…暗号化部、２１５…ＲＦ送信部、２１６…ＩＰ通信部
【図１】
0006700658.tif 000002
【図２】
0006700658.tif 000003
【図３】
0006700658.tif 000004
【図４】
0006700658.tif 000005
【図５】
0006700658.tif 000006
【図６】
0006700658.tif 000007
【図７】
0006700658.tif 000008
【図８】
0006700658.tif 000009
【図９】
0006700658.tif 000010
【図１０】
0006700658.tif 000011
【図１１】
0006700658.tif 000012
【図１２】
0006700658.tif 000013
【図１３】
0006700658.tif 000014
【図１４】
0006700658.tif 000015
【図１５】
0006700658.tif 000016
【図１６】
0006700658.tif 000017
【図１７】
0006700658.tif 000018
【図１８】
0006700658.tif 000019